(57)【要約】調節可能ベンチは、座部、座部から伸張するスカート、およびスカートに結合される複数の高さ調節可能な脚組立体を備え、座部は、ベンチに、平坦な上面または傾斜した上面のどちらかをもたらすために選択的にスカートとはめ合わせられるように成形される。【選択図】図１
2020531213.tif 000002
【特許請求の範囲】
【請求項１】
座部と、
前記座部から伸張するスカートと、
前記スカートに結合される複数の高さ調節可能な脚組立体と、を備える調節可能ベンチであって、
前記座部は、前記ベンチに、平坦な上面または傾斜した上面のどちらかをもたらすために選択的に前記スカートとはめ合わせられるように成形される
ことを特徴とする調節可能ベンチ。
【請求項２】
前記ベンチの前記脚組立体は、摺動可能にまたは伸縮自在に高さ調節可能である
請求項１に記載のベンチ。
【請求項３】
前記ベンチの前記脚組立体は前記スカートに枢動可能に結合される
請求項１に記載のベンチ。
【請求項４】
前記脚組立体の移動を制限するために前記ベンチの前記脚組立体に留められるストラップをさらに含む
請求項１に記載のベンチ。
【請求項５】
前記座部は、収納室への出し入れを可能にするために前記スカートから取り外し可能である
請求項１に記載のベンチ。
【請求項６】
前記座部は、前記スカートから取り外され、かつ膝立ち補助として使用可能である
請求項１に記載のベンチ。
【請求項７】
前記スカートは、前エプロン部、後エプロン部、および横エプロン部を含み、前記横エプロン部はそれぞれ、前記後エプロン部から前記前エプロン部へ下方に傾斜する対応する上端を有し、前記座部は全般的にくさび形状でありかつ先端を有し、前記座部は、前記スカートの前記後エプロン部に沿って伸張する前記座部の前記先端で前記スカートとはめ合わせられてよい、または前記座部は、前記スカートの前記前エプロン部に沿って伸張する前記座部の前記先端で前記スカートとはめ合わせられてよい
請求項１に記載のベンチ。
【請求項８】
前記座部は、収納室への出し入れを可能にするために前記スカートから取り外し可能である
請求項７に記載のベンチ。
【請求項９】
前記座部は、前記スカートから取り外され、かつ膝立ち補助として使用可能である
請求項７に記載のベンチ。
【発明の詳細な説明】
【技術分野】
【０００１】
本発明は、調節可能ベンチに関し、とりわけ、ベンチに、平坦な上面または傾斜した上面のどちらかをもたらすために選択的にスカートとはめ合わせてよい座部を有する調節可能ベンチに関する。
【背景技術】
【０００２】
Ｓｈａｎｋの名における、２０１７年７月３０日付で公開された特許文献１には、独自に可撓性のある支柱を作り出す層および障壁から成る、中密度で高品質の独立気泡フォーム材および接着剤で構成されるヨガ快適系ウェッジが開示されている。この構成によって、ユーザは、ある特定の姿勢、ストレッチ、運動、または治療対象位置を達成するまたは維持することが可能になる一方、触知できる快適さを改善しかつ動きの範囲を補助する可撓性ウェッジの形での三角形状のヨガ、フィットネス、または治療用装置が形成される。ヨガ快適系ウェッジは、従来のタイプのヨガ、瞑想、フィットネス、または治療装置に対して利点を有する。ヨガ系ウェッジによって、特有の物理的限界を有するユーザは、通常は可能ではない所望の姿勢または運動を快適に修正しかつ維持することができるのと同時に、上級ユーザにとって、高度な技術を要する動作の練習がより快適かつ容易になる。２つのヨガ快適系ウェッジは、多機能性および応用性を高めるような、快適なブロックまたは快適な支持物を形成するように隣接している同様の平面を合わせて設置できる。さまざまなヨガ快適系ウェッジはまた、さらなる使用方法を提供するために積み重ねまたは配置可能である。
【先行技術文献】
【特許文献】
【０００３】
【特許文献１】米国特許出願公開第２００９／０１９２０２８号
【発明の概要】
【課題を解決するための手段】
【０００４】
座部、座部から伸張するスカート、およびスカートに結合される複数の高さ調節可能な脚組立体を備える調節可能ベンチが提供される。座部は、ベンチに、平坦な上面または傾斜した上面のどちらかをもたらすために選択的にスカートとはめ合わせられるように成形される。ベンチの脚組立体は、摺動可能にまたは伸縮自在に調節可能であってよい。ベンチの脚組立体は、スカートに枢動可能に結合されてよい。脚組立体の移動を制限するためにベンチの脚組立体に留められるストラップがあってよい。スカートは、前エプロン部、後エプロン部、および横エプロン部を含んでよい。横エプロン部はそれぞれ、後エプロン部から前エプロン部へ下方に傾斜する対応する上端を有することができる。座部は全般的にくさび形状でありかつ先端を有することができる。座部は、スカートの後エプロン部に沿って伸張する座部の先端でスカートとはめ合わせられてよい、または座部は、スカートの前エプロン部に沿って伸張する座部の先端でスカートとはめ合わせられてよい。座部は、収納室への出し入れを可能にするためにスカートから取り外し可能である。座部はスカートとはめ合わせ可能である。
【０００５】
本発明は、添付の図面を参照して、単なる例示として与えられるこの実施形態の以下の説明からより容易に理解されるであろう。
【図面の簡単な説明】
【０００６】
【図１】展開形態の調節可能ベンチの上部斜視図である。
【図２】展開形態の調節可能ベンチの正面図である。
【図３】第１の中間形態の調節可能ベンチの上部斜視図である。
【図４】第１の中間形態の調節可能ベンチの正面図である。
【図５】第２の中間形態の調節可能ベンチの上部斜視図である。
【図６】第２の中間形態の調節可能ベンチの正面図である。
【図７Ａ】第２の中間形態の調節可能ベンチの底部斜視図である。
【図７Ｂ】第２の中間形態の調節可能ベンチの底部分解斜視図である。
【図８】平坦な上面の座部を示す折り畳み形態における調節可能ベンチの上部斜視図である。
【図９】平坦な上面を有する座部を示す折り畳み形態における調節可能ベンチの側面図である。
【図１０】座部が取り外されている状態を示す、折り畳み形態における調節可能ベンチのさらに別の上部斜視図である。
【図１１】傾斜した上面を有する座部を示す折り畳み形態における調節可能ベンチのさらに別の上部斜視図である。
【図１２】傾斜した上面を有する座部を示す折り畳み形態における調節可能ベンチの別の側面図である。
【発明を実施するための形態】
【０００７】
図面を参照するが、最初に図１および図２を参照すると、この例では、調節可能な瞑想ベンチとして、または任意の他の適した目的で用いられてよい折り畳み可能または調節可能ベンチ１０が示されている。図１および図２は、展開形態のベンチ１０を示す。ベンチ１０は一般的に、この例では、スカート１４とはめ合わせる軟質エラストマーインサートと共に硬質ポリマーで形成される座部１２を備える。スカート１４は座部１２から下方に伸張する。スカート１４は、前エプロン部１６と、後エプロン部１８と、それぞれが、前エプロン部１６と後エプロン部１８との間で伸張する横エプロン部２０および２２とを有する。ベンチ１０はまた、それぞれがスカート１４に枢動可能に結合される、高さ調節可能な脚組立体２４および２６を有する。脚組立体２４および２６はそれぞれ、対応する上部２８および３０と対応する下部３２および３４とを含む。脚組立体２４および２６のそれぞれの上部２８および３０は、脚組立体２４および２６のそれぞれの下部３２および３４の対応する溝３６および３８によって受けられる。これによって、脚組立体２４および２６の上部２８および３０、ならびに脚組立体２４および２６の下部３２および３４は互いに対して摺動可能にできる。脚組立体２４および２６はまたそれぞれ、対応する最下部４０および４２を備える。最下部４０および４２はこの例では実質的に円筒状である。最下部４０および４２の周りに調節可能ストラップ４４が留められている。調節可能ストラップ４４を使用して、脚組立体２４および２６の移動を制限してよく、調節可能ストラップ４４はヨガストラップとして用いられてよい。
【０００８】
ベンチ１０の脚組立体２４および２６は、図１および図２において展開され、この例では、ベンチ１０は、展開形態において９インチの高さＨ1を有する。展開形態におけるベンチ１０を留める移動止めがある。調節可能ストラップ４４を使用して、展開形態における脚組立体２４および２６の移動を制限することもできる。図３および図４は第１の中間形態におけるベンチ１０を示す。ベンチ１０の脚組立体２４および２６の下部３２および３４は、図３および図４では格納され、この例では、ベンチ１０は第１の中間形態において７インチの高さＨ2を有する。ベンチ１０の脚組立体２４および２６は、脚組立体の上部２８および３０ならびに脚組立体の下部３２および３４を互いに対して摺動可能にすることができる解除ボタンによって、展開形態と第１の中間形態との間で伸張および格納される。第１の中間形態におけるベンチ１０を留める移動止めがある。調節可能ストラップ４４を使用して、脚組立体２４および２６の移動を制限することもできる。調節可能ストラップ４４を使用して、第１の中間形態における脚組立体２４および２６の移動を制限することもできる。
【０００９】
ベンチ１０の脚組立体２４および２６は、図５および図６においてスカートに向かって第２の中間形態へと外方に枢動し、この例では、ベンチ１０は、第２の中間形態において５インチの高さＨ3を有する。ベンチ１０の脚組立体２４および２６はそれぞれ、図７Ａに示される、対応するピボットピン４６ａおよび４６ｂに装着され、脚組立体２４および２６を、第１の中間形態と第２の中間形態との間で枢動可能にする。第２の中間形態においてベンチ１０を留める移動止め、例えば、図７Ｂに示される移動止め４８ａ、４８ｂ、４８ｃ、および４８ｄがある。調節可能ストラップ４４を使用して、第２の中間形態において脚組立体２４および２６の移動を制限することもできる。
【００１０】
ベンチの脚組立体２４および２６は、図８および図９においてスカートに向かって折り畳み形態へとさらに外方に枢動し、この例では、ベンチ１０は、折り畳み形態において３インチの高さＨ4を有する。図７Ａに示されるピボットピン４６ａおよび４６ｂによって、脚組立体２４および２６は第２の中間形態と折り畳み形態との間で枢動可能になる。第２の中間形態においてベンチ１０を留める移動止め、例えば、図７Ｂに示される移動止め４８ａ、４８ｂ、４８ｃ、および４８ｄがある。
【００１１】
図１０は、スカート１４の横エプロン部２０および２２がそれぞれ、後エプロン部１８から前エプロン部１６へと下方に傾斜する対応する上端５０および５２を有することを示している。座部１２は、ベンチ１０のスカート１４とはめ合わせられる傾斜底部５４を有する。座部１２は全般的にくさび形状であり、先端５６を有する。図８および図９は、座部１２がベンチ１０のスカート１４とはめ合わせられており、座部１２の先端５６がスカート１４の後エプロン部１８に沿って伸張していることで、ベンチ１０が実質的に平坦な上面を有することを示す。座部１２は、図１０に示されるような収納室５８への出し入れを可能にするためにスカート１４から取り外し可能である。座部１２は、取り外された後膝立ち補助として使用されてよい。座部１２の向きは逆にしてもよい。図１１および図１２は、座部１２がベンチ１０のスカート１４とはめ合わせられ、座部１２の先端５６がスカート１４の前エプロン部１６に沿って伸張することで、ベンチ１０は、この例では、７度の傾斜を有する傾斜上面を有する。座部１２はそれに応じて、ベンチに、平坦な上面または傾斜した上面のどちらかをもたらすために選択的にスカート１４とはめ合わせるように成形される。ロゴ６０はまた、広告の目的で、ベンチ１０の座部１２または他の部分にエンボス加工または印刷されてよい。
【００１２】
上記で提供される詳細の多くが単なる例によるものであり、以下の特許請求の範囲を参照して判断される本発明の範囲を限定することは意図されていない。
【図１】
2020531213.tif 000003
【図２】
2020531213.tif 000004
【図３】
2020531213.tif 000005
【図４】
2020531213.tif 000006
【図５】
2020531213.tif 000007
【図６】
2020531213.tif 000008
【図７Ａ】
2020531213.tif 000009
【図７Ｂ】
2020531213.tif 000010
【図８】
2020531213.tif 000011
【図９】
2020531213.tif 000012
【図１０】
2020531213.tif 000013
【図１１】
2020531213.tif 000014
【図１２】
2020531213.tif 000015
【手続補正書】
【提出日】令和1年6月19日(2019.6.19)
【手続補正１】
【補正対象書類名】特許請求の範囲
【補正対象項目名】全文
【補正方法】変更
【補正の内容】
【特許請求の範囲】
【請求項１】
全般的にくさび形状でありかつ先端を有する座部と、
前記座部から伸張するスカートであって、前エプロン部、後エプロン部、および横エプロン部を含み、前記横エプロン部はそれぞれ、前記後エプロン部から前記前エプロン部へ下方に傾斜する対応する上端を有する、スカートと、
前記スカートに結合される複数の高さ調節可能な脚組立体と、を備える調節可能ベンチであって、
前記座部は、前記ベンチに、平坦な上面をもたらすために前記スカートの前記後エプロン部に沿って伸張する前記座部の前記先端で前記スカートとはめ合わせられてよいか、または、傾斜した上面をもたらすために前記スカートの前記前エプロン部に沿って伸張する前記座部の前記先端で前記スカートとはめ合わせられてよい
ことを特徴とする調節可能ベンチ。
【請求項２】
前記ベンチの前記脚組立体は、摺動可能にまたは伸縮自在に高さ調節可能である
請求項１に記載のベンチ。
【請求項３】
前記ベンチの前記脚組立体は前記スカートに枢動可能に結合される
請求項１に記載のベンチ。
【請求項４】
前記脚組立体の移動を制限するために前記ベンチの前記脚組立体に留められるストラップをさらに含む
請求項１に記載のベンチ。
【請求項５】
前記座部は、収納室への出し入れを可能にするために前記スカートから取り外し可能である
請求項１に記載のベンチ。
【請求項６】
前記座部は、前記スカートから取り外され、かつ膝立ち補助として使用可能である
請求項１に記載のベンチ。
【請求項７】
前記座部は、収納室への出し入れを可能にするために前記スカートから取り外し可能である
請求項１に記載のベンチ。
【請求項８】
前記座部は、前記スカートから取り外され、かつ膝立ち補助として使用可能である
請求項１に記載のベンチ。
【国際調査報告】
2020531213.tif 000016
2020531213.tif 000017
2020531213.tif 000018